(57)【要約】      （修正有）【課題】眼鏡の調製において、耳頂点間の距離及びノーズパッドの中心から耳頂点までの距離を簡単かつ正確に測定出来る。【解決手段】眼前に位置するフロント部１と頭部側面に位置するテンプル部２とからなり、フロント部１は、フロント中央部３と、このフロント中央部３から両側方向へ引っ張りバネ６の力に抗して引き出せる様になっていると共に、引き出し量を表示する目盛り１４が設けられている可動フロント部５とから構成されており、テンプル部２は、フロント部１側に位置したテンプル基部８と、引っ張りバネ６の力に抗して引き出せる様になっていると共に、引き出し量を表示する目盛り１４が設けられている可動テンプル部１０とから構成されている。【選択図】図３
0003111504.tif 000002
【実用新案登録請求の範囲】
【請求項１】
眼前に位置するフロント部１と頭部側面に位置するテンプル部２とからなり、フロント部１は、フロント中央部３と、このフロント中央部３から両側方向へ引っ張りバネ６の力に抗して引き出せる様になっていると共に、引き出し量を表示する目盛り１４が設けられている可動フロント部５とから構成されており、テンプル部２は、フロント部１側に位置したテンプル基部８と、引っ張りバネ６の力に抗して引き出せる様になっていると共に、引き出し量を表示する目盛り１４が設けられている可動テンプル部１０とから構成されていることを特徴とする眼鏡調製用ゲージ。
【請求項２】
検眼レンズを着脱自在に取付けることが出来る一対の検眼レンズ枠１３を左右別々にスライド自在にフロント中央部３に取付けたことを特徴とする請求項１記載の眼鏡調製用ゲージ。
【考案の詳細な説明】
【技術分野】
【０００１】
この考案は眼鏡を調製する際に用いる測定具、詳しくは、眼鏡調製に際し、眼鏡使用者の頭部の寸法を正確に測定できる測定具に関するものである。
【背景技術】
【０００２】
眼鏡を使用しようとする者の頭部の寸法はまちまちであり、個々の装用者の頭部の寸法に合った眼鏡にしなければ満足出来るフィット感が得られないのは当然である。眼鏡の調製の際には、図１に示す耳頂点間の距離Ａ及び図２に示すノーズパッドの中心から耳頂点までの距離Ｂの２つの寸法が特に重要である。
【特許文献１】なし
【非特許文献１】なし
【考案の開示】
【考案が解決しようとする課題】
【０００３】
従来においては、これら寸法Ａ、Ｂを簡単かつ正確に測定できる簡易な測定具は見当たらず、眼鏡店の担当者が勘と熟練に頼って前記２種の寸法を目測し、これに基づいて眼鏡の調製を行っていた。しかしながら、この従来の方法では、担当者の経験や熟練の程度によって眼鏡装用時のフィット感にバラツキが生じることは避けられず、品質の一定した眼鏡を調製することは出来なかった。
【０００４】
本考案者は、眼鏡の調製時の装用者頭部の寸法の測定に関する上記従来の問題点を解決すべく研究を行った結果、手軽に上記寸法を測定することが出来る眼鏡調製用ゲージを完成するに至り、本考案としてここに提案するものである。
【課題を解決するための手段】
【０００５】
眼前に位置するフロント部１と頭部側面に位置するテンプル部２とからなる眼鏡調製用ゲージにおいて、フロント部１を、フロント中央部３と、このフロント中央部３から両側方向へ引っ張りバネ６の力に抗して引き出せる様になっていると共に、引き出し量を表示する目盛り１４が設けられている可動フロント部５とから構成し、テンプル部２を、フロント部１側に位置したテンプル基部８と、引っ張りバネ６の力に抗して引き出せる様になっていると共に、引き出し量を表示する目盛り１４が設けられている可動テンプル部１０とから構成することにより、上記課題を解決した。又、検眼レンズを着脱自在に取付けることが出来る一対の検眼レンズ枠１３を左右別々にスライド自在にフロント中央部３に取付ける様にしても良い。
【実施例】
【０００６】
図３はこの考案に係る眼鏡調製用ゲージの一実施例の斜視図、図４はその要部であるフロント部１の一部を拡大して描いたその拡大裏面断面図である。
【０００７】
この眼鏡調製用ゲージは、被測定者の眼前に位置するフロント部１と、その頭部側面に位置するテンプル部２とにより構成されている。フロント部１は中空のさや状をなしたフロント中央部３とこのフロント中央部３の中空部４にその一端がスライド自在に挿入された可動フロント部５からなっており、可動フロント部５の他端は側方に向かってほぼ直角に屈曲せしめられている。又、フロント中央部３と可動フロント部５との間には、図４に示す様に、引っ張りバネ６が張架されており、可動フロント部５を内側に向かって付勢している。
【０００８】
更に、フロント中央部３にはストッパー７が設けられており、可動フロント部５のスライドを任意の位置で停止させられる様になっている。又、可動フロント部５の前面にはフロント中央部３からの引き出し量を表示する目盛り１４が付されている。
【０００９】
一方、テンプル部２は中空のさや状をなし、フロント部１側に位置したテンプル基部８と、このテンプル基部８にその先端側がスライド自在に挿入され、他端にはモダン９が取り付けられた可動テンプル部１０とからなっている。又、テンプル基部８と可動テンプル部１０との間には、引っ張りバネ６が張架されており、可動テンプル部１０を前方に向かって付勢している。更に、テンプル基部８にはストッパー１２が設けられており、可動テンプル部１０のスライドを任意の位置で停止させられる様になっている。又、可動テンプル部１０の側面にはテンプル基部８からの引き出し量を表示する目盛り１４が付されている。
【００１０】
更に、可動テンプル１０の先端には前方に向かってプッシュロッド１１が植設されており、可動テンプル１０を引っ張りバネ６の付勢力に抗して後方へスライドさせることが出来る様になっている。又、テンプル基部８の先端部は可動フロント部５の端部に枢支されており、通常の眼鏡と同様に内側に向かって折り畳める様になっている。更に、フロント中央部３の中央下面にはノーズパッド１５が垂設されている。
【００１１】
この実施例は上記の通りの構成を有するものであり、ストッパー７及び１２をすべて解除した状態で被測定者の頭部へ普通の眼鏡の場合と同じ要領で装着させる。引っ張りバネ６によって、可動フロント部５は内側へ、可動テンプル部１０は前方へ付勢されているが、被測定者の頭部への装着に際して、可動フロント部５は外側へ、可動テンプル部１０は後方へそれぞれスライドし、被測定者の頭部寸法に適合した位置で停止する。その位置においてストッパー７及び１２をロックし、可動フロント部５及び可動テンプル部１０の現在位置を固定し、その状態のまま被測定者の頭部からはずし、可動フロント部５の移動量を示す目盛り１４及び可動テンプル部１０の移動量を示す目盛り１４を読み、耳頂点間の距離Ａ及びノーズパッドの中心から耳頂点までの距離Ｂを知る。そして、これらの数値をテンプル開き幅及びモダン曲げ幅を決定する為のデータとして利用すれば、個々の装用者の頭部によりフィットした眼鏡を作り出すことが出来る。
【００１２】
以上述べた如く、この眼鏡調製用ゲージを被測定者の頭部に装着した後、可動フロント部５及び可動テンプル部１０に付されている目盛り１４を読むだけで眼鏡調製の為の基礎データを得ることが出来るので、勘や熟練に頼らずに眼鏡の調製作業をだれでも高い精度で実施出来る効果を有する。
【００１３】
次に、図５に基づいてこの考案に係る眼鏡調製用ゲージの他の実施例について説明する。この実施例においては、フロント中央部３に一対の検眼レンズ枠１３が左右別々にスライド出来る様に取り付けられていると共に、検眼レンズ枠１３の位置を示す為の目盛り１４が設けられている。他の部分は前述の第一の実施例と同じであり、同一符号を付してその説明を省略する。
【００１４】
この実施例は、前述の第一の実施例と同じ用法によって眼鏡装用者の頭部の耳頂点間の距離Ａ及びノーズパッドの中心から耳頂点までの距離Ｂを測定出来るだけではなく、検眼レンズ枠１３に検眼用レンズを装着して、視力矯正テストの用にも供することが出来、二種の異なった用途に用いることが可能である。なお、この実施例においては、検眼レンズ枠１３はフロント中央部３を別々にスライドすることが出来る様になっているので、装用者の眼球中心にこの検眼レンズ枠１３中の検眼レンズの光軸を位置に正確に一致させることが可能であり、光学的にもよりフィットした眼鏡を調製することが可能となる。
【図面の簡単な説明】
【００１５】
【図１】耳頂点間の距離Ａを説明する為の説明図。
【図２】ノーズパッドの中心から耳頂点までの距離Ｂを説明する為の説明図。
【図３】この考案に係る眼鏡調製用ゲージの第一の実施例の斜視図。
【図４】フロント部１の一部を拡大して描いた拡大裏面断面図。
【図５】この考案に係る眼鏡調製用ゲージの他の実施例の斜視図。
【符号の説明】
【００１６】
１    フロント部
２    テンプル部
３    フロント中央部
４    中空部
５    可動フロント部
６    引っ張りバネ
７    ストッパー
８    テンプル基部
９    モダン
１０    可動テンプル部
１１    プッシュロッド
１２    ストッパー
１３    検眼レンズ枠
１４    目盛り
１５    ノーズパッド
【図１】
0003111504.tif 000003
【図２】
0003111504.tif 000004
【図３】
0003111504.tif 000005
【図４】
0003111504.tif 000006
【図５】
0003111504.tif 000007